(57)【要約】【課題】テレビ放送等の撮影システムにおいて、マニュアル操作される操作部材によって操作者が入力指示したフォーカスの目標位置が至近端又は無限遠端となった場合にその旨を表示することによって、無端の操作部材によってフォーカス操作を行う場合であっても無駄な操作を防止することができるフォーカス端表示装置を提供する。【解決手段】フォーカス操作手段であるフォーカスデマンド４０において、マニュアル操作されるフォーカスノブ４２には回動範囲を規制する端が設けられておらず、相対位置検出型のエンコーダ４４によってその回転位置が検出される。そして、フォーカスデマンド４０からはフォーカスノブ４２の回転位置に対応したフォーカスの目標位置を示すフォーカス指令値がレンズ装置１０に出力される、また、そのフォーカス指令値が至近端又は無限遠端を示す値となった場合に、端表示器２０の至近端ＬＥＤ５２又は無限遠端ＬＥＤ５４を点灯させる。【選択図】      図４
2007034193.tif 000002
【特許請求の範囲】
【請求項１】
被写体の像を結像する光学系と、マニュアル操作される操作部材の位置によって前記光学系におけるフォーカスの目標位置を入力するフォーカス操作手段と、前記フォーカス操作手段により入力された目標位置となるように前記光学系におけるフォーカスの位置を制御するフォーカス制御手段とを備えた撮影システムに適用されるフォーカス端表示装置であって、
前記フォーカス操作手段によって入力された目標位置を取得する取得手段と、
前記取得手段によって取得された目標位置が、前記光学系におけるフォーカスの変更可能な範囲の端の位置であることを表示する端表示手段と、を備えたことを特徴とするフォーカス端表示装置。
【請求項２】
前記端表示手段は、前記フォーカス操作手段によって入力された目標位置が、至近端の位置であることと、無限遠端の位置であることとを識別可能に表示することを特徴とする請求項１のフォーカス端表示装置。
【請求項３】
前記端表示手段は、前記端の位置であることを表示する専用の表示器により該表示を行うことを特徴とする請求項１又は２のフォーカス端表示装置。
【請求項４】
前記端表示手段は、前記操作部材が無端で回動操作される前記フォーカス操作手段を備えたコントローラに設けられることを特徴とする請求項１又は２のフォーカス端表示装置。
【発明の詳細な説明】
【技術分野】
【０００１】
本発明はフォーカス端表示装置に係り、特に無端で回動操作される操作部材を備えたフォーカス操作手段によってフォーカス調整を行う撮影システムにおいて、フォーカス端（至近端、無限遠端）であることを表示するフォーカス端表示装置に関する。
【背景技術】
【０００２】
従来、テレビ放送用の撮影を行うための撮影システム等において、撮影レンズのフォーカス調整を、フォーカスデマンドと呼ばれるコントローラからの指令信号により電動で行うものが知られている。この種の撮影システムに使用される撮影レンズは、フォーカス（フォーカスレンズ群）やズーム（ズームレンズ群）等を電動で駆動するための制御装置を一体的に備えており、その制御装置にフォーカスデマンドやズームデマンドがケーブル等により接続されている。フォーカスデマンドには、通常、フォーカスノブ等と呼ばれる回動可能な操作部材が設けられており、そのフォーカスノブの回転位置に対応した値の指令信号が撮影レンズの制御装置に送信され、撮影レンズのフォーカスがその指令信号の値に対応した位置となるように制御される。従って、操作者がフォーカスノブの回転位置を調整することによって、撮影レンズのフォーカス調整が行えるようになっている。
【０００３】
また、従来、フォーカスノブの回転位置を検出する位置センサとして、絶対位置を検出するポテンショメータではなく、インクリメンタル型ロータリエンコーダのように相対位置を検出する相対位置検出型のエンコーダが使用される場合がある（特許文献１等参照）。例えば、フォーカス制御として、フォーカスノブの操作に基づくフォーカス制御（即ち、マニュアルフォーカス制御）と、他の手段によるフォーカス制御とが混在する場合がある。フォーカス制御の他の手段として、例えば、予め記憶しておいたフォーカス位置を再現するプリセット機能や、自動で合焦位置にフォーカスを移動させるオートフォーカス機能等が知られている。
【０００４】
このような他の手段によるフォーカス制御の実行後に、それにより設定されたフォーカス位置を有効に引き継いでフォーカスノブによってフォーカス位置の調整を行えるようにする場合には、フォーカスノブの回転位置の検出に絶対位置検出型の位置センサを使用するよりも相対位置検出型のエンコーダを使用した方が有利な点がある。即ち、他の手段のフォーカス制御からマニュアルフォーカス制御に移行したときに、フォーカスノブの位置センサによって検出される値を実際のフォーカス位置に対応した値に変更することによって、そのフォーカス位置を有効に引き継いで、その後のフォーカスノブの操作量に応じた変化量でフォーカス位置を変化させることができる。
【０００５】
このとき、もし、フォーカスノブの回転位置の検出に絶対位置検出型の位置センサを使用したとすると、位置センサから出力される値の範囲に上限と下限があるため、また、通常、位置センサから出力される値の上限値と下限値の範囲内にフォーカスノブの回動範囲を規制する機械的な端が設けられるため、フォーカスノブを端の位置まで回転させてもフォーカスを至近端又は無限遠端まで変更することができないという問題が生じる。
【０００６】
これに対して、フォーカスノブの回転位置の検出に相対位置検出型のエンコーダを使用した場合には、エンコーダ自体はフォーカスノブの回動範囲を制限しないため、フォーカスノブの回動範囲を規制する機械的な端を意図的に設けなければ、上記のようにフォーカスを至近端又は無限遠端まで変更することができないという問題が起こらない。
【０００７】
一方、フォーカスノブの回転位置の検出に相対位置検出型のエンコーダを使用すると共に、フォーカスノブの回動範囲を規制する機械的な端を設けないようにした場合、操作者がフォーカスノブの操作感によってフォーカスが端に到達したことを認識することができないという問題があった。
【０００８】
そこで、特許文献１では、フォーカスが至近端又は無限遠端に到達した場合に、フォーカスノブの回動操作に対する負荷を生じさせて、フォーカスが至近端又は無限遠端に到達したことを操作者が認識できるようにすることが提案されている。また、特許文献１にはランプの点灯や警告音の発生によってフォーカスが至近端又は無限遠端に到達したことを操作者が認識できるようにすることも開示されている。
【特許文献１】特開平１１―２３９４３号公報
【発明の開示】
【発明が解決しようとする課題】
【０００９】
しかしながら、上記特許文献１の場合、実際のフォーカス位置を検出する位置センサからの信号値が至近端又は無限遠端の値を示したときにフォーカスが端に到達したことを操作者に通知するようにしている。そのため、操作者は、フォーカスが実際に端の位置に到達するまで無駄にフォーカスノブを操作してしまう場合があった。例えば、ピントを合わせたい被写体が無限遠端近くから至近端近くに変わった場合に、操作者がフォーカスノブを至近側に高速で回動操作すると、フォーカスノブの操作速度に実際のフォーカスの移動が追いつかずフォーカスの移動が大きく遅れるという場合がある。このとき、フォーカスノブの回転位置が至近端を超えているにもかかわらず、実際のフォーカス位置が至近端に到達していないため、至近端に到達したことの通知が行われず、操作者がフォーカスノブの至近側への回動操作を無駄に続けてしまうという場合があった。フォーカスノブの操作を無駄に行うと、その分、他のレンズ操作が遅れるという問題がある。
【００１０】
本発明はこのような事情に鑑みてなされたもので、フォーカスの無駄な操作を防止することができるフォーカス端表示装置を提供することを目的とする。
【課題を解決するための手段】
【００１１】
前記目的を達成するために、請求項１に記載のフォーカス端表示装置は、被写体の像を結像する光学系と、マニュアル操作される操作部材の位置によって前記光学系におけるフォーカスの目標位置を入力するフォーカス操作手段と、前記フォーカス操作手段により入力された目標位置となるように前記光学系におけるフォーカスの位置を制御するフォーカス制御手段とを備えた撮影システムに適用されるフォーカス端表示装置であって、前記フォーカス操作手段によって入力された目標位置を取得する取得手段と、前記取得手段によって取得された目標位置が、前記光学系におけるフォーカスの変更可能な範囲の端の位置であることを表示する端表示手段と、を備えたことを特徴としている。
【００１２】
本発明によれば、フォーカス操作手段による入力指示されたフォーカスの目標位置が端の位置になると、その旨の表示が行われるため、実際のフォーカスの位置が端の位置に到達していない状況においても、操作者は、フォーカスの変更可能な範囲を超える無駄な操作を停止することができる。特に、フォーカス操作手段として、無端の操作部材が使用される場合に、フォーカスの端の位置を目標位置として指定している状態を操作感によって認識できない場合に本発明は効果的である。
【００１３】
請求項２に記載のフォーカス端表示装置は、請求項１に記載の発明において、前記端表示手段は、前記フォーカス操作手段によって入力された目標位置が、至近端の位置であることと、無限遠端の位置であることとを識別可能に表示することを特徴としている。
【００１４】
本発明よれば、フォーカス操作手段によって入力指示されたフォーカスの目標位置が端の位置となった場合に、その端が至近端であるか無限遠端であるかが識別可能に表示される。
【００１５】
請求項３に記載のフォーカス端表示装置は、請求項１又は２に記載の発明において、前記端表示手段は、前記端の位置であることを表示する専用の表示器により該表示を行うことを特徴としている。
【００１６】
本発明によれば、端表示手段による端の表示を行うための専用の表示器が使用されるため、その表示器を所望の位置に設置して使用することができる。
【００１７】
請求項４に記載のフォーカス端表示装置は、請求項１又は２に記載の発明において、前記端表示手段は、前記操作部材が無端で回動操作される前記フォーカス操作手段を備えたコントローラに設けられることを特徴としている。
【００１８】
本発明のように、端表示手段はフォーカス操作手段を備えたコントローラに設けることもできる。特に無端で回動操作される操作部材によってフォーカス操作を行うコントーラに設けると効果的である。
【発明の効果】
【００１９】
本発明に係るフォーカス端表示装置によれば、フォーカスの無駄な操作を防止することができる。
【発明を実施するための最良の形態】
【００２０】
以下、添付図面に従って本発明に係るフォーカス端表示装置を実施するための最良の形態について詳説する。
【００２１】
図１は、本発明に係るフォーカス端表示装置が適用される撮影システム（テレビカメラシステム）の一実施の形態を示した外観構成図である。同図に示すように、本撮影システムは、レンズ装置１０、カメラヘッド１２、ビューファインダー１４、フォーカスデマンド１６、ズームデマンド１８、端表示器２０等から構成されている。
【００２２】
レンズ装置１０は、光学系と制御系とを備えており、光学系は、レンズ鏡胴に保持されている固定のレンズ群や、可動のフォーカスレンズ群及びズームレンズ群、絞りなどの光学部品から構成されている。制御系は、光学系のフォーカスレンズ群、ズームレンズ群、絞り等を駆動及び制御するためモータ、センサ、各種回路から構成されている。光学系の光学部品を保持しているレンズ鏡胴は、レンズ交換可能なテレビ放送用のカメラヘッド１２にマウント結合される。
【００２３】
カメラヘッド１２にはＣＣＤ等の撮像素子や所要の信号処理回路が搭載されている。カメラヘッド１２の撮像素子の撮像面にはレンズ装置１０の光学系によって被写体像が結像され、その被写体像が撮像素子によって順次光電変換される。そして、信号処理回路によって撮像素子から出力された信号に所要の信号処理が施される。これによって被写体の画像（映像）が撮影されると共にその映像の映像信号が生成される。
【００２４】
また、カメラヘッド１２にはビューファインダー１４が取り付けられている。このビューファインダー１４にはカメラヘッド１２から現在撮影されている撮影映像の映像信号が出力され、ビューファインダー１４の画面にその撮影映像が表示されるようになっている。
【００２５】
レンズ装置１０にはフォーカス制御に関する操作を行うためのフォーカスデマンド１６やズーム制御に関する操作を行うためのズームデマンド１８がケーブルによって接続されている。フォーカスデマンド１６やズームデマンド１８には、操作者がレンズ装置１０における光学系のフォーカス（フォーカスレンズ群）やズーム（ズームレンズ群）をマニュアルで操作するための操作部材が配置されており、各デマンド１６、１８では、それらの操作部材の操作が検出され、それに応じて、例えばフォーカスデマンド１６からレンズ装置１０の制御系には、フォーカス（フォーカスレンズ群）の目標位置を示す値の指令信号（フォーカス指令値）が与えられる。ズームデマンド１８からレンズ装置１０の制御系には、ズーム（ズームレンズ群）の目標速度を示す指令信号（ズーム指令値）が与えられる。レンズ装置１０では、各デマンド１６、１８から与えられた指令信号に従ってフォーカスレンズ群やズームレンズ群の位置や移動速度が制御される。これによって、各デマンド１６、１８での操作者の操作に従ってレンズ装置１０の光学系のフォーカスやズームが変更されるようになっている。
【００２６】
また、レンズ装置１０はカメラヘッド１２にもケーブルによって接続されており、カメラヘッド１２からは主に絞りの制御に関するアイリス制御信号が与えられるようになっている。レンズ装置１０では、カメラヘッド１２から与えられたアイリス制御信号に従って絞りＩの位置（開口度）が制御される。
【００２７】
端表示器２０は、ビューファインダー１４に取り付けられる。詳細は後述するが、端表示器２０には、レンズ装置１０の光学系のフォーカスが至近端又は無限遠端に到達したこと（実際には、フォーカスの現在位置ではなくフォーカスデマンド１６により与えられる設定すべき目標位置が至近端又は無限遠端の位置になったこと）を表示するためのランプが設けられている。端表示器２０は、フォーカスデマンド１６にケーブル等で接続されており、端表示器２０のランプの点灯と消灯がフォーカスデマンド１６によって制御されるようになっている。
【００２８】
図２は、上記撮影システムにおけるレンズ装置１０の制御系の構成を示したブロック図である。同図において、レンズ装置１０の光学系に配置されたフォーカスレンズ群ＦＬ、ズームレンズ群ＺＬ、絞りＩにはそれぞれモータＦＭ、ＺＭ、ＩＭやポテンショメータＦＰ、ＺＰ、ＩＰが連結されており、フォーカスレンズ群ＦＬ、ズームレンズ群ＺＬ、絞りＩは各モータＦＭ、ＺＭ、ＩＭによって駆動されると共に、各々の設定位置に応じた電圧の位置信号が各ポテンショメータＦＰ、ＺＰ、ＩＰから出力されるようになっている。
【００２９】
レンズ装置１０には装置全体を統括的に制御するＣＰＵ３０が搭載されている。ＣＰＵ３０には、各モータＦＭ、ＺＭ、ＩＭに接続された各アンプＦＡ、ＺＡ、ＩＡがＤ／Ａ変換器３２を介して接続されており、ＣＰＵ３０は、各アンプＦＡ、ＺＡ、ＩＡに与える駆動信号の値によって各モータＦＭ、ＺＭ、ＩＭの回転速度を制御すると共に、各ポテンショメータＦＰ、ＺＰ、ＩＰから出力された位置信号をＡ／Ｄ変換器３４を介して取得することによってフォーカスレンズ群ＦＬ、ズームレンズ群ＺＬ、絞りＩを所望の位置や動作速度となるように制御することができるようになっている。
【００３０】
レンズ装置１０に接続されたフォーカスデマンド１６やズームデマンド１８は、ＳＣＩ（シリアルコミュニケーションインターフェース）３６によってＣＰＵ３０と通信接続されており、ＣＰＵ３０とフォーカスデマンド１６の間、及び、ＣＰＵ３０とズームデマンド１８との間で各種信号のやり取りが行えるようになっている。フォーカスデマンド１６からは、主にフォーカスレンズ群ＦＬの目標位置を示す値のフォーカス指令値が与えられ、ＣＰＵ３０は、そのフォーカス指令値に対応した位置となるようにフォーカスレンズ群ＦＬの位置を制御する。
【００３１】
ズームデマンド１８からは、主にズームレンズ群ＺＬの目標速度を示す値のズーム指令値が与えられ、ＣＰＵ３０は、そのズーム指令値に対応した移動速度となるようにズームレンズ群ＺＬの速度を制御する。
【００３２】
一方、絞りＩの制御は、カメラヘッド１２からＡ／Ｄ変換器３４を介して与えられるアイリス制御信号に基づいて行なわれ、ＣＰＵ３０は、そのアイリス制御信号の値に対応した位置（開口度）となるように絞りＩの位置を制御する。
【００３３】
続いて、図１及び図２に示されているフォーカスデマンド１６及び端表示器２０について詳説する。図３は、フォーカスデマンド１６の外観を示した側面図である。同図に示すようにフォーカスデマンド１６は、デマンド本体４０と、デマンド本体４０に対して回動可能なフォーカスノブ４２とを備えている。フォーカスノブ４２は、回動範囲を規制する端が設けられていない無端（エンドレス）のマニュアル操作部材であり、このフォーカスノブ４２を回動操作することにより、レンズ装置１０のフォーカス（フォーカスレンズ群ＦＬ）を所望の位置に移動させることができるようになっている。
【００３４】
図４は、フォーカスデマンド１６及び端表示器２０の回路構成を示したブロック図である。同図に示すようにフォーカスノブ４２には、インクリメンタル型のロータリエンコーダ４４（以下、エンコーダ４４という）の検出軸が連結されている。これによって、エンコーダ４４からは、フォーカスノブ４２が所定角度回転するごとに位相が９０度異なるＡ相とＢ相のパルスが出力される。カウンタ４６は、エンコーダ４４から入力したＡ相とＢ相のパルスにより入力パルスを計数した値（カウント値）をアップ（増加）又はダウン（減少）する。例えば、入力されたＡ相とＢ相のパルスの位相関係によりフォーカスノブ４２の回転方向を認識することができ、フォーカスノブ４２が正転した場合の位相関係のときにはカウント値をアップさせ、フォーカスノブ４２が逆転した場合の位相関係のときにはカウント値をダウンさせる。
【００３５】
ＣＰＵ４８は、カウンタ４６のカウント値を読み取ることにより、フォーカスノブ４２の回転位置を検出する。そして、そのフォーカスノブ４２の回転位置（即ち、カウント値）に対応したフォーカス指令値をフォーカス（フォーカスレンズ群ＦＬ）の目標位置を示す値としてＳＣＩ５２を介してレンズ装置１０のＣＰＵ３０に送信する。これによって、レンズ装置１０のフォーカスレンズ群ＦＬがフォーカスノブ４２の回転位置に対応した位置に移動する。
【００３６】
ここで、カウンタ４６のカウント値が０のときにフォーカスデマンド１６から出力されるフォーカス指令値によって指令される目標位置を基準位置とすると、電源投入時等での初期化時において、その基準位置にレンズ装置１０のフォーカスレンズ群ＦＬが移動すると共に、カウンタ４６のカウント値がＣＰＵ４８から指示によって０にリセットされるようになっている。これによって、カウンタ４６のカウント値の予め決められた所定の値範囲と、フォーカスレンズ群ＦＬの至近端から無限遠端までの可動範囲の各位置とが対応付けられている。但し、このような対応付けは、上記の方法に限らず、例えば、フォーカスデマンド１６において、レンズ装置１０からフォーカスレンズ群ＦＬの現在位置の情報を取得し、その現在位置に対応するカウント値となるようにカウンタ４６のカウント値を設定する等の他の方法を用いることもできる。
【００３７】
また、図５に示すように例えば、カウンタ４６のカウント値が０のときに、フォーカスデマンド１６からのフォーカス指令値によって指令される目標位置を至近端とし、カウンタ４６のカウント値が０よりも大きな所定の値ＸMAXとなったときにフォーカス指令値によって指令される目標位置を無限遠端とすると、カウント値が０〜ＸMAXの範囲外となるようなフォーカスノブ４２の回動操作が行われてもカウント値が０又はＸMAXの値に保持されるようになっている。この処理は、カウンタ４６の実際のカウント値を０〜ＸMAXの範囲に制限すること、又は、ＣＰＵ４８におけるカウント値の認識において実際のカウント値が０以下であれば０、ＸMAX以上であればＸMAXと変更することによって行うことができる。
【００３８】
更に、本実施の形態では、フォーカスノブ４２の回転位置の検出する位置センサとして、絶対位置を検出するポテンショメータ等のような絶対位置検出型の位置センサを用いるのではなく、相対位置を検出する相対位置検出型のロータリエンコーダを使用すると共に、フォーカスノブを無端の回転操作部材として回動を規制する端を設けないようにしている。これによって次のようなことを行うことができる。
【００３９】
例えば、レンズ装置１０やフォーカスデマンド１６の機能として、予め記憶しておいたフォーカス位置（プリセット位置）を押しボタンスイッチ等の操作によって再現できるようにしたプリセット機能が搭載されている場合がある。この場合において、プリセット機能によるフォーカス制御の実行後、それによって設定されたプリセット位置を有効に引き継いでフォーカスノブ４２によるフォーカス制御に移行することができる。
【００４０】
例えば、操作者がフォーカスノブ４２を回動操作してフォーカス位置を調整することができるマニュアルフォーカスモードでは、カウンタ４６のカウント値に対応したフォーカス指令値の位置にフォーカスレンズ群ＦＬが設定されている。このとき、プリセット機能の実行を指示して予め記憶しておいたプリセット位置にフォーカスレンズ群ＦＬを移動させたとすると、フォーカスデマンド１６のフォーカス指令値の位置と実際にフォーカスレンズ群ＦＬが設定されている位置（プリセット位置）が相違する。従って、プリセット機能によるプリセット位置へのフォーカスレンズ群ＦＬの移動後に通常のマニュアルフォーカスモードに移行すると、そのときのフォーカス指令値の位置にフォーカスレンズ群ＦＬが移動し、フォーカスノブ４２を回動操作していない場合であってもプリセット位置にフォーカスレンズ群ＦＬを停止させておくことができない。また、マニュアルフォーカスモードに移行した後、プリセット位置を基準にしてフォーカスノブ４２の回動量に応じた変位量でフォーカスレンズ群ＦＬの位置を調整することができない。
【００４１】
そこで、プリセット機能によって、フォーカスデマンド１６のフォーカス指令値の位置と異なる位置にフォーカスレンズ群ＦＬを移動させた場合には、カウンタ４６のカウント値を、プリセット位置に対応した値に変更するようにしておく。これによって、プリセット機能によるフォーカスレンズ群ＦＬの移動後に通常のマニュアルフォーカスモードに移行した場合であっても、フォーカスノブ４２を回動操作しなければ、フォーカスレンズ群ＦＬをプリセット位置に保持することができるようになる。また、その後、フォーカスノブ４２を回動操作した場合には、通常通り、フォーカスノブ４２の回転量に応じた変位分ずつプリセット位置からフォーカスレンズ群ＦＬを移動させることができ、且つ、フォーカスレンズ群ＦＬを至近端から無限遠端までの全可動範囲で変位させることができるようになる。
【００４２】
尚、カウンタ４６のカウント値をプリセット機能により移動したプリセット位置に対応した値に変更する処理方法として、レンズ装置１０から取得可能なフォーカスレンズ群ＦＬの現在位置の情報又はプリセット機能により記憶されたプリセット位置の情報に基づいて、カウンタ４６のカウント値自体又はＣＰＵ４８において認識するカウント値を変更する方法が適用できるが、どのような方法でもよい。
【００４３】
また、上記の例では、フォーカスレンズ群ＦＬが、フォーカスデマンド１６のカウンタ４６のカウント値に対応したフォーカス指令値の位置と異なる位置に移動する場合としてプリセット機能による場合を示したが、プリセット機能以外の機能によって同様の事態が生じた場合にも、カウンタ４６のカウント値をフォーカスレンズ群ＦＬの実際の設定位置に対応した値に変更することによって上記の例と同様の対応を図ることができる。例えば、撮影映像のコントラストを検出し、そのコントラストが最大となるようにフォーカスレンズ群ＦＬを制御することによってフォーカスレンズ群ＦＬを合焦位置に自動で移動させるオートフォーカス機能が知られている。このオートフォーカス機能の実行によりフォーカスレンズ群ＦＬがカウンタ４６のカウント値に対応したフォーカス指令値の位置と異なる位置に移動した場合にも、カウンタ４６のカウント値をオートフォーカス機能によって移動した位置に対応した値に変更することによって、その位置を有効に引き継いでマニュアルフォーカスモードに移行させることができる。
【００４４】
図６は、端表示器２０の配置場所及び外観を示した斜視図である。同図において、カメラヘッド１２の背面側、即ち、操作者（カメラマン）がカメラ操作を行う操作側に、ビューファインダー１４が設置されており、そのビューファインダー１４の画面１４Ａの周辺部にフード１４Ｂが取り付けられている。端表示器２０は、そのフード１４Ｂの側面に取り付けられている。尚、端表示器２０を取り付ける場所はこれに限らず、操作者が視認できる場所であればよい。また、端表示器２０を取り付ける手段はどのようなものでもよい。
【００４５】
端表示器２０には、至近端ＬＥＤ５２と無限遠端ＬＥＤ５４とによって例えば赤色に発光する２つの発光部が設けられており、各発光部のＬＥＤ５２、５４の点灯／消灯は、ケーブル等によって接続されたフォーカスデマンド１６によって制御されるようになっている。
【００４６】
図４において、フォーカスデマンド１６には、端表示器２０の至近端ＬＥＤ５２と無限遠端ＬＥＤ５４を点灯又は消灯させるＬＥＤ駆動回路５０が搭載されており、そのＬＥＤ駆動回路５０が、ＣＰＵ４８からの指示に基づいて、端表示器２０の各ＬＥＤ５２、５４への発光電力の供給を実行又は停止するようになっている。
【００４７】
ＣＰＵ４８は、上記のようにフォーカスノブ４２の回転位置に基づいてフォーカスレンズ群ＦＬの目標位置を示すフォーカス指令値をレンズ装置１０に送信しており、そのフォーカス指令値に基づいて、至近端ＬＥＤ５２及び無限遠端ＬＥＤ５４の点灯又は消灯の指示をＬＥＤ駆動回路５０に与えている。
【００４８】
即ち、フォーカス指令値が、フォーカスレンズ群ＦＬの至近端と無限遠端を目標位置とする値以外の場合には、端表示器２０の至近端ＬＥＤ５２と無限遠端ＬＥＤ５４の両方を消灯させる指示をＬＥＤ駆動回路５０に出力する。
【００４９】
これに対して、フォーカス指令値が、至近端を目標位置とする値の場合には、至近端ＬＥＤ５２を点灯させる指示をＬＥＤ駆動回路５０に出力し、至近端ＬＥＤ５２を点灯させる（無限遠端ＬＥＤ５４は消灯）。これにより、フォーカスノブ４２の回転位置が至近端の位置であり、それ以上至近側にフォーカスノブ４２を回動操作しても無効な操作となることが操作者に通知される。
【００５０】
一方、フォーカス指令値が、無限遠端を目標位置とする値の場合には、無限遠端ＬＥＤ５４を点灯させる指示をＬＥＤ駆動回路５０に出力し、無限遠端ＬＥＤ５４を点灯させる（至近端ＬＥＤ５２は消灯）。これにより、フォーカスノブ４２の回転位置が無限遠端の位置であり、それ以上無限遠側にフォーカスノブ４２を回動操作しても無効な操作となることが操作者に通知される。
【００５１】
ところで、本実施の形態のようにフォーカスデマンド１６から出力されるフォーカス指令値がフォーカスレンズ群ＦＬの至近端又は無限遠端を目標位置として指令する値となった場合に、端表示器２０の至近端ＬＥＤ５２又は無限遠端ＬＥＤ５４を点灯させるようにすると、フォーカスレンズ群ＦＬが実際に至近端又は無限遠端に到達した際に至近端ＬＥＤ５２又は無限遠端ＬＥＤ５４を点灯させる場合よりもフォーカスノブ４２の無駄な操作をより低減することができるという利点がある。例えば、フォーカスノブ４２の回動操作が高速で行われた場合に、フォーカスデマンド１６からのフォーカス指令値によって指令される目標位置に対して実際のフォーカスレンズ群ＦＬの位置が大きく遅れる場合がある。このような場合に、フォーカスレンズ群ＦＬの実際の位置に基づいて至近端ＬＥＤ５２又は無限遠端ＬＥＤ５４の点灯／消灯を制御すると、フォーカス指令値が至近端又は無限遠端を目標位置として指令する値となっているにもかかわらず、そのことが操作者に通知されないために操作者がフォーカスノブ４２の無効な操作を継続してしまうおそれがある。本実施の形態のようにフォーカス指令値に基づいて至近端ＬＥＤ５２又は無限遠端ＬＥＤ５４の点灯／消灯を制御する場合には、このような事態が生じず、フォーカスノブ４２の無駄な操作を低減することができる。
【００５２】
以上、上記実施の形態では、端表示器２０によって端表示を行う態様について説明したが、このような端表示は、ビューファインダー１４の画面上に行うようにしてもよい。この場合におけるレンズ装置１０の構成図を図７に示す。同図において、図４と同一又は類似の作用の構成要素には図４と同一符号を付し、その説明を省略する。レンズ装置１０のＣＰＵ３０は、フォーカスデマンド１６から与えられたフォーカス指令値に基づいてフォーカスレンズ群ＦＬの位置を制御する際に、そのフォーカス指令値が至近端又は無限遠端を目標位置として指令する値か否かを判断する。そして、フォーカス指令値が至近端又は無限遠端を目標位置として指令する値と判断した場合には、該当する端の表示（点灯）を指示する信号をＳＣＩ３８を介してカメラヘッド１２に送信する。カメラヘッド１２では、ビューファインダー１４に出力する撮影映像とともに、上記端表示器２０の至近端ＬＥＤ５２及び無限遠端ＬＥＤ５４による発光部を模したような２つの発光部の画像を画面上に表示すると共にその発光部の点灯／消灯をレンズ装置１０のＣＰＵ３０から与えられた指示に従って制御する。
【００５３】
また、上記実施の形態における端表示器２０は、フォーカスデマンド１６等のコントローラ、レンズ装置１０、カメラヘッド１２等の他の装置に組み込むようにしてもよい。例えば、図３において、上記端表示器２０の至近端ＬＥＤ５２及び無限遠端ＬＥＤ５４により発光する２つの発光部に相当する発光部６０、６２をフォーカスデマンド１６に設け、それらの発光部６０、６２の点灯／消灯によってフォーカスノブ４２の回転位置が至近端又は無限遠端に到達したことを表示するようにしてもよい。
【００５４】
また、上記実施の形態における端表示の表示形態は一例であって、他の形態であってもよい。即ち、フォーカスノブ４２の回転位置が至近端であること（フォーカス指令値（目標位置）が至近端に対応する値であること）、フォーカスノブ４２の回転位置が無限遠端であること（フォーカス指令値が無限遠端に対応する値であること）、及び、これらのいずれでも無いこと（フォーカス指令値が至近端と無限遠端のいずれにも対応しない値であること）の３状態を表示する方法は上記実施の形態に限らず、どのような形態であってもよい。例えば、点灯／消灯（又は点滅等の点灯状態）の切替え、点灯色の切替え、点灯部分の形状の切替え、点灯位置の切替えのうち、いずれか１つ又は２つ以上の組み合わせによって上記３状態を識別可能に表示できるようにすればよい。また、フォーカスノブ４２の回転位置が至近端と無限遠端のいずれかの端に到達した場合に、操作者は自己が操作したフォーカスノブ４２の操作方向によっていずれの端に到達したかを容易に認識することができるため、至近端と無限遠端の表示に関しては必ずしも識別可能に表示する必要はなく、単にフォーカスノブ４２の回転位置が端であることを表示するようにしてもよい。
【００５５】
また、上記実施の形態では、フォーカスノブと呼ばれる回動操作部材によってフォーカスレンズ群ＦＬの位置調整を行う撮影システムにおいて本発明を適用する場合について説明したが、本発明は、フォーカスレンズ群ＦＬの目標位置（フォーカス位置）をマニュアル操作によって入力する操作部材がどのようなものでも適用できる。また、撮影システムの構成もどのようなものでも適用できる。
【図面の簡単な説明】
【００５６】
【図１】図１は、本発明に係るフォーカス端表示装置が適用される撮影システム（テレビカメラシステム）の一実施の形態を示した外観構成図である。
【図２】図２は、図１の撮影システムにおけるレンズ装置の制御系の構成を示したブロック図である。
【図３】図３は、フォーカスデマンドの外観を示した側面図である。
【図４】図４は、フォーカスデマンド及び端表示器の回路構成を示したブロック図である。
【図５】図５は、フォーカスデマンドにおけるフォーカスノブの回動操作とカウンタのカウント値との関係を示した説明図である。
【図６】図６は、端表示器の配置場所及び外観を示した斜視図である。
【図７】図７は、端表示をビューファインダーの画面上に行う場合のレンズ装置の制御系の構成を示したブロック図である。
【符号の説明】
【００５７】
１０…レンズ装置、１２…カメラヘッド、１４…ビューファインダー、１６…フォーカスデマンド、１８…ズームデマンド、２０…端表示器、３０、４８…ＣＰＵ、４２…フォーカスノブ、４４…ロータリエンコーダ（エンコーダ）、４６…カウンタ、５０…ＬＥＤ駆動回路、５２…至近端ＬＥＤ、５４…無限遠端ＬＥＤ、ＦＬ…フォーカスレンズ群、ＺＬ…ズームレンズ群、Ｉ…絞り、ＦＭ、ＺＭ、ＩＭ…モータ、ＦＰ、ＺＰ、ＩＰ…ポテンショメータ、
【図１】
2007034193.tif 000003
【図２】
2007034193.tif 000004
【図３】
2007034193.tif 000005
【図４】
2007034193.tif 000006
【図５】
2007034193.tif 000007
【図６】
2007034193.tif 000008
【図７】
2007034193.tif 000009